(57)【特許請求の範囲】
【請求項１】
並列して配された少なくとも一つのトラックを有するテープ状の記録媒体にデータを記録するデータ記録装置であって、
前記データを前記少なくとも一つのトラックに記録するデータ記録部
前記データを格納するメモリ、及び
前記データ記録部を制御する制御部、
を備え、
前記制御部は、
前記少なくとも一つのトラックにおいて前記データが正しく記録されなかったデータ欠落領域があるかどうかを判断し、
前記メモリに前記正しく記録されなかったデータを格納し、
前記データ欠落領域があると判断したトラックに対して、前記テープの幅方向に並列したいずれかのトラックにおける前記データ欠落領域に対応する位置を特定し、
前記メモリより前記正しく記録されなかったデータを読み出し、前記データ欠落領域に対応する位置に記録する、データ記録装置。
【請求項２】
前記少なくとも一つのトラックは複数のトラックであり、
前記制御部は、
前記データ欠落領域があると判断したトラックに並列した別のトラックにおける前記データ欠落領域に対応する位置を特定し、前記正しく記録されなかったデータを記録する、
請求項１に記載のデータ記録装置。
【請求項３】
前記メモリは、前記正しく記録されなかったデータが前記データ欠落領域に対応する位置に記録されるまで、前記正しく記録されなかったデータを保持できる記憶容量を有する、
請求項１に記載のデータ記録装置。
【請求項４】
前記データ記録部を前記トラックを横切る方向に移動させる駆動部を更に備え、
前記制御部は、前記駆動部により前記データ記録部を移動させることにより、前記データ欠落領域に対応する位置を特定する、
請求項１に記載のデータ記録装置。
【請求項５】
前記データ記録部は、前記並列して配されたトラックに対向するように配列された複数のデータ記録部であり、
前記複数のデータ記録部のうち少なくとも一つのデータ記録部は、専ら前記正しく記録されなかったデータを前記データ欠落領域に対応する位置に記録する、
請求項１に記載のデータ記録装置。
【請求項６】
前記データ記録部は、前記並列して配された複数のトラックに対向するように配列された複数のデータ記録部であり、前記複数のトラックに同時にデータを記録する、
請求項１に記載のデータ記録装置。
【請求項７】
前記データ記録部は、前記並列して配された複数のトラックに対向するように配列された複数のデータ記録部であり、前記複数のトラックに沿って正方向及び逆方向にデータを記録するよう構成されてなる、
請求項１に記載のデータ記録装置。
【請求項８】
前記データ記録部は、磁気記録を行う、
請求項１に記載のデータ記録装置。
【請求項９】
前記データ記録部に対し前記少なくとも一つのトラックの方向に隣接して配されたデータ再生部を更に備え、
前記データ再生部は、前記データ記録部による前記データの記録に続いて前記データを読み取る、
請求項１に記載のデータ記録装置。
【請求項１０】
並列して配された少なくとも一つのトラックを有するテープ状の記録媒体にデータを記録するデータ記録方法であって、
前記少なくとも一つのトラックにおいて前記データが正しく記録されなかったデータ欠落領域を特定し、
前記データ欠落領域があるトラックに対して、前記テープの幅方向に並列したいずれかのトラックにおける前記データ欠落領域に対応する位置に、前記正しく記録されなかったデータを記録する、
データ記録方法。
【請求項１１】
複数のトラックを有するテープ状の記録媒体であって、
前記複数のトラックは、データを記録するための記録トラックと、データが正しく記録されなかったときに前記正しく記録されなかったデータを専ら記録するための予備トラックと、を含み、
前記記録トラックと前記予備トラックとはそれぞれ、前記テープ状の記録媒体の走行方向に沿って延び、互いに並列して配されてなる、
記録媒体。
【請求項１２】
前記複数のトラックは、第１の方向にデータを記録するための第１の記録トラックと、
前記第１の方向とは逆である第２の方向にデータを記録するための第２の記録トラックと、を含む、
請求項１１に記載の記録媒体。
【請求項１３】
前記記録媒体は、磁気記録媒体である、
請求項１１に記載の記録媒体。
【発明の詳細な説明】
【技術分野】
【０００１】
本発明は、コンピュータから送られるデータをテープ状記録媒体に記録するデータ記録方法、データ記録装置、及びその記録媒体に関する。
【背景技術】
【０００２】
従来、サーバー等のデータをバックアップするデータストリーマが知られている。データストリーマにおいては、誤り訂正符号を付加して所望のデータを高密度に記録する。
【０００３】
具体的には、データストリーマは、バックアップに供するデータを所定のブロック単位で区切り、積符号形式による誤り訂正符号を生成する。さらにデータストリーマは、これらデータに誤り訂正符号を付加して所定順序によりテープ状記録媒体に記録する。このとき、データストリーマは、記録された信号が記録媒体に正しく記録されているかを確認するためデータを読み取るリードアフタライトを行う。リードアフタライトの結果、正しくデータを読み取ることができない記録媒体上の領域については、読み取ることができなかったデータを再度記録するリトライ処理を実行する。
【０００４】
更にデータストリーマは、データを再生するとき、テープ状記録媒体を走査して読み取った信号を処理することにより、記録されたデータを順次再生する。このとき、記録時に付加した誤り訂正符号により誤り訂正処理を行う。このように、データストリーマは、高い信頼性をもって所望のデータをバックアップ、復元する（例えば、特許文献１及び特許文献２参照）。
【０００５】
一方、近年、コンピュータや、インターネットの益々の発展に伴い、取り扱うデータ量が爆発的に増大している。このため、バックアップに用いられる記録装置の大容量化が求められている。このような大容量の記録装置として、いわゆるリニアテープシステムが注目されている。リニアテープシステムは、磁気ヘッドをテープ幅方向に複数並べ、長尺形状のテープに対して磁気ヘッドをテープ長手方向に変位させて信号を記録する方式である。リニアテープシステムにおいては、その長手方向に沿って記録トラックが複数並列して配される、多重トラックを有するテープ状記録媒体にデータを記録する。
【先行技術文献】
【特許文献】
【０００６】
【特許文献１】特開２００２−２１６４３８号公報
【特許文献２】特開２００８−２６２７０８号公報
【発明の概要】
【発明が解決しようとする課題】
【０００７】
上記のような記録のリトライ処理は、例えばテープ状記録媒体の欠陥等のなんらかの原因によるデータ未記録状態を回避する目的で行われている。よって、再記録されるデータは、テープ長手方向に対して近接した位置ではなく別の離れた場所に再記録される。リトライ処理によりデータが再記録された場合、元の連続データとは異なる順序で記録されることになる。よって、データ再生のために、これらの再記録用のデータを一時メモリに記憶し、データを再生する順序に従って再配列する工程が必要となる。この結果、データ再生の応答性が遅くなる課題があった。特にリニアテープシステムは、テープ幅方向に並列配置される複数のトラックを同時に記録する方式であるため、再度記録されるデータはより離れた箇所に再記録されてしまい、より応答性が遅くなった。また、再配列までにデータを一時記憶するメモリ容量もより大きいものが必要であった。
【０００８】
以下に開示される技術は、応答性良くデータの再生を可能にするデータ記録装置、データ記録方法、及び記録媒体を提案するものである。
【課題を解決するための手段】
【０００９】
本発明の一つの観点によれば、並列して配された少なくとも一つのトラックを有する記録媒体にデータを記録するデータ記録装置は、データを少なくとも一つのトラックに記録するデータ記録部、データを格納するメモリ、及びデータ記録部を制御する制御部、を備える。制御部は、少なくとも一つのトラックにおいてデータが正しく記録されなかったデータ欠落領域があるかどうかを判断し、メモリに正しく記録されなかったデータを格納し、データ欠落領域があると判断したトラックに並列したトラックにおけるデータ欠落領域に対応する位置を特定し、メモリより正しく記録されなかったデータを読み出し、データ欠落領域に対応する位置に記録する。
【発明の効果】
【００１０】
本発明によれば、応答性良くデータの再生を可能にするデータ記録装置、データ記録方法、及び記録媒体を実現できる。
【図面の簡単な説明】
【００１１】
【図１】実施の形態１に係るデータ記録装置の概略構成図
【図２】同データ記録装置のヘッド部の概略構成図
【図３】実施の形態１によりデータが記録された磁気テープの模式的平面図
【図４】実施の形態１によるリトライ処理を示すフローチャート
【図５】実施の形態２によりデータが記録された磁気テープの模式的平面図
【図６】実施の形態２によるリトライ処理を示すフローチャート
【図７】比較例によりデータが記録された磁気テープの模式的平面図
【発明を実施するための形態】
【００１２】
以下に、本発明のうち選択した実施の形態について、図面を参照しながら説明する。以下に記載する本発明の実施の形態は例示のためであり、添付のクレーム及びその均等物により定義される発明を限定するためのものではないことは、当業者が本開示を見れば明らかになる。
１  実施の形態１
１．１．データ記録装置１００の構成
図１は、本実施の形態に係るデータ記録装置１００の構成を概略的に示す。
【００１３】
このデータ記録装置１００は、磁気テープに対しリニアテープシステムを用いて信号を記録、再生する磁気記録装置である。データ記録装置１００は、カセット１０１と、第１巻きロール１３１と、第２巻きロール１３２と、複数のガイドロール１３３と、ヘッド部３０と、を備える。
【００１４】
第１巻きロール１３１は、所定の駆動機構（図示省略）により回転し、磁気テープ１０（記録媒体の一例）が収納されているカセット１０１から磁気テープ１０を巻き出す。第２巻きロール１３２は、第１巻きロール１３１による巻き出しに合わせて磁気テープ１０を巻き取る。第１巻きロール１３１及び第２巻きロール１３２はまた、所定の制御に従ってその回転方向を変更し、第２巻きロール１３２が巻き出した磁気テープを第１巻きロールが巻き取る。なお、以下の説明において、第１巻きロール１３１により巻き出される方向を正方向（第１の方向の一例）と呼び、第２巻きロール１３２により巻き出される方向を逆方向（第２の方向の一例）と呼ぶ。
【００１５】
ガイドロール１３３は、第１巻きロール１３１と第２巻きロール１３２と間の磁気テープ１０に対して、所望の方向に走行させるように所定間隔に配設されている。
【００１６】
ヘッド部３０は、ガイドロール１３３間に配され、後述するように４組の磁気ヘッドを有する。ヘッド部３０は、磁気テープ１０の主面に対して長手方向に相対的に走査して、信号の記録や再生を行う。
【００１７】
図２は、ヘッド部３０の構成を概略的に示す。
【００１８】
ヘッド部３０は、磁気テープ１０の幅方向（正方向又は逆方向に対し横切る方向）に沿って４対の再生用磁気ヘッド３１ａ、３１ｂと、４つの記録用磁気ヘッド３２と、を有する。磁気テープ１０の巻き出し方向（正方向）においては、図２に示すように、再生用磁気ヘッド３１ａと、記録用磁気ヘッド３２（データ記録部の一例）と、再生用磁気ヘッド３１ｂとが一組として配列されている。
【００１９】
ヘッド部３０は更に、制御部３５とメモリ３６と駆動部３７とを有する。制御部３５は、ＣＰＵその他プロセッサ等により構成される。制御部３５は、再生用磁気ヘッド３１ａ、３１ｂ、記録用磁気ヘッド３２に対してデータの読み取り及び記録を制御するとともに、駆動部３７の制御を行う。
【００２０】
メモリ３６は、読み取られたデータ又は記録するデータを格納する。特にメモリ３６は、リトライ処理のために正しく記録されなかったデータを再記録するまで保持できる記憶容量を有する。
【００２１】
駆動部３７は、制御部３５の指令に応じてヘッド部３０を駆動する。例えば、ヘッド部３０をテープ幅方向に移動させる、すなわちテープ上のトラック間を移動させる。再生用磁気ヘッド３１ａと３１ｂは、磁気テープ１０の巻き出し方向に応じて、制御部３５によるスイッチ切り替えによりいずれかが選択される。
１．２  データ記録装置１００の動作
リニアテープシステムにおいては、磁気テープ１０を正方向又は逆方向に走行させるとき、テープ幅方向に配列された４つの記録用磁気ヘッド３２により４つの所定長のトラックを同時に記録する（図３の１２Ｆ参照）。具体的には、磁気テープ１０を正方向に巻き出すと、記録用磁気ヘッド３２により４つのトラック（図３の１２Ｆ）上にデータが同時に記録される。４つのトラックのデータ記録が完了すると、ヘッド部３０は、トラックピッチ分テープ幅方向に移動する。そして、磁気テープ１０が逆方向に巻き出され、記録用磁気ヘッド３２により他の４つのトラック（図３の１２Ｒ）上にデータが同時に記録される。この動作を繰り返すことにより、テープ幅方向の複数のトラックに順次データが記録される。
【００２２】
更に、磁気テープ１０が正方向に巻き出されるとき、制御部３５により４つの再生用磁気ヘッド３１ａが選択されている。４つの再生用磁気ヘッド３１ａにより磁気テープ１０に記録されたデータが同時に読み出される。制御部３５は、読み取られたデータに基づきデータが正しく記録されたかどうかを判断する。データが正しく記録されなかったと判断した場合は、メモリ３６に正しく記録されなかったデータ（以下、再記録用データと呼ぶ）を一時格納し、後述するようにリトライ処理を行う。
【００２３】
一方、磁気テープ１０が逆方向に巻き出されるとき、制御部３５により４つの再生用磁気ヘッド３１ｂが選択されている。４つの再生用磁気ヘッド３１ｂにより磁気テープ１０に記録されたデータが同時に読み出される。制御部３５は、読み取られたデータに基づきデータが正しく記録されたかどうかを判断する。データが正しく記録されなかったと判断した場合は、メモリ３６に正しく記録されなかった再記録用データを一時格納し、後述するようにリトライ処理を行う。
【００２４】
以下、本実施の形態に係るデータ記録について、比較例を挙げながら詳細に説明する。
１．２．１  比較例によるデータ記録
図７は、比較例によりデータが記録された磁気テープを模式的に示す。９１０は磁気テープ、９１２Ｆは磁気テープ９１０が正方向に巻き出されるときの記録トラック、９１２Ｒは磁気テープ９１０が逆方向に巻き出されるときの記録トラック、９１３はテープ上にデータが正しく記録されなかったデータ欠落領域、９１４は再記録領域を示す。
【００２５】
テープ上においてデータ欠落領域９１３が生じた場合、リトライ処理が行われる。リトライ処理は、データ欠落領域９１３において記録されるべきであったデータを再記録する処理である。比較例においては、図７に示すように、再記録されるデータは、記録されるべきであった場所、つまりデータ欠落領域９１３の場所とは異なる場所である再記録領域９１４に記録される。同図に示すように、再記録領域９１４がデータ欠落領域９１３の場所と連続しておらず離れている場合、データの再生するまで再記録されるデータを一時メモリ３６に保持し、再生するときにデータを再生する順序に従って再配列する工程が必要となる。この場合、データ再生時の応答性が遅くなる。
１．２．２  本実施の形態によるデータ記録
図３は、本実施の形態によりデータが記録された磁気テープを模式的に示す。磁気テープ１０は、磁気テープ１０が正方向に巻き出されるときの記録トラック１２Ｆと、磁気テープ１０が逆方向に巻き出されるときの記録トラック１２Ｒ、テープ上においてデータが正常に記録されなかったデータ欠落領域１３と、再記録領域１４と、を含む。
【００２６】
例えばトラック上の所定の領域においてデータが正しく記録されなかったと判断された場合（例えば、データ欠落領域１３）、その再記録用データを一時的にメモリ３６に格納する。そして、再記録用データが記録されるべき位置が記録用磁気ヘッド３２に近づいたときに、メモリ３６より再記録用のデータを読み出し、再記録を行う。
【００２７】
図４は、ヘッド部３０の制御部３５によるリトライ処理を示す。
【００２８】
ステップＳ１０１：磁気テープ１０が正方向又は逆方向に巻き出され、メモリ３６より読み出されたデータが４つの記録用磁気ヘッド３２により同時に記録される。次いで、記録されたデータは４つの再生用磁気ヘッド３１ａ又は３１ｂにより同時に読み取られる（リードアフタライト）。
【００２９】
ステップＳ１０２：再生用磁気ヘッド３１ａ又は３１ｂにより読み取られたデータに基づき、テープ上にデータの欠落があったかどうかを判断する。具体的には、再生用磁気ヘッド３１ａ又は３１ｂによりデータが正常に読み取られなかった場合、制御部３５はテープ上にデータ欠落領域があると判断する。
【００３０】
ステップＳ１０３：テープ上にデータ欠落領域があると判断された場合、データ欠落があったと判断された領域に記録されるべきであったデータを特定し、メモリ３６に再記録用データとして一時格納する。
【００３１】
ステップＳ１０４：ヘッド部３０を他のトラックに移動させ、磁気テープ１０を巻き戻す。
【００３２】
ステップＳ１０５：再記録領域２１４として、別のトラック上であってデータ欠落領域１３とテープ長手方向においてほぼ同じ位置にある領域、或いは別のトラック上であってデータ欠落領域１３とテープ長手方向において少なくとも重複する位置にある領域（以下、データ欠落領域１３に対応する位置と呼ぶ。）に、ヘッド部３０が位置するかどうかを判断する。なお、このヘッド部３０の移動は、図３の例によれば、次のように行う。磁気テープ１０を正方向に巻き出す間にデータ欠落領域１３が特定されたとき、ヘッド部３０を別のトラック（正方向記録用）に移動させ、データ欠落領域１３に相当する分だけ磁気テープ１０を巻き戻す。なお、磁気テープ１０を逆方向に巻き出す間にデータ欠落領域が特定されたときは、ヘッド部３０を別のトラック（逆方向記録用）に移動させ、データ欠落領域に相当する分だけ磁気テープ１０を巻き戻す。
【００３３】
なお、ステップＳ１０４〜Ｓ１０５において、ヘッド部３０を他のトラックに移動させ、磁気テープ１０を巻き戻し、ヘッド部３０をデータ欠落領域１３に対応する位置に移動させている。この動作は、再記録のために行われてもよいが、ヘッド部３０による通常の記録動作を兼ねて行われてもよい。つまり、ヘッド部３０が、再記録領域２１４の周辺領域（再記録領域２１４の近傍で再記録と同方向の他のトラックの領域）に対して通常の記録を行う際にリライト処理も行う。
【００３４】
ステップＳ１０６：再記録用データを記録する。図３の例によれば、磁気テープ１０を正方向に巻き出し、再記録領域１４に位置する記録用磁気ヘッド３２によってメモリ３６より再記録用データを読み出して記録する。
１．３  実施の形態１の特徴
実施の形態１によれば、再記録用データは、別のトラック上であってデータ欠落領域１３とテープ長手方向においてほぼ同じ位置にある領域に記録される。よって、データを再生する時、データが正しく記録されなかった場合にリトライ処理されたデータと、正しく記録されたデータとを、略連続して読み取ることが可能となる。この結果、リトライ処理されたデータを読み取るまで長時間待つことなく、データを再生する順序に従って再配列できる。よって、応答性良くデータの再生が可能となる。
２  実施の形態２
図５及び図６を用いて実施の形態２に係るデータ記録について説明する。なお、データ記録装置及びヘッド部については、実施の形態１と同様である部分についてはその説明は省略し、符号も同一のものを用いる。
【００３５】
実施の形態２においては、ヘッド部３０の４つの磁気ヘッドのうち一つの記録用磁気ヘッドが専らリトライ処理によるデータの再記録用に用いられること、そして磁気テープ２１０においては後述するように再記録用のトラックが設けられていることにおいて、実施の形態１と異なる。詳細は次の通りである。
２．１  本実施の形態によるデータ記録
図５は、実施の形態２によりデータが記録された磁気テープを模式的に示す。磁気テープ２１０（記録媒体の一例）は、磁気テープ２１０が正方向に巻き出されるときの記録トラック２１２Ｆ（第１の記録トラックの一例）と、磁気テープ２１０が逆方向に巻き出されるときの記録トラック２１２Ｒ（第２の記録トラックの一例）と、テープ上においてデータが正常に記録されなかったデータ欠落領域２１３と、再記録領域２１４と、再記録用トラック２１５（予備トラックの一例）と、を含む。
【００３６】
例えばトラック上の所定の領域においてデータが正しく記録されなかったと判断された場合（例えば、データ欠落領域２１３）、そのデータを一時的にメモリ３６に格納する。そして、再記録用データが記録されるべき位置が記録用磁気ヘッド３２に近づいた時に、メモリ３６より再記録用のデータを読み出し、再記録を行う。
【００３７】
図６は、実施の形態２においてヘッド部３０の制御部３５によるリトライ処理を示す。
【００３８】
ステップＳ２０１：磁気テープ２１０が正方向又は逆方向に巻き出され、メモリ３６より読み出されたデータが３つの記録用磁気ヘッド３２により同時に記録される。次いで、記録されたデータは３つの再生用磁気ヘッド３１ａ又は３１ｂにより同時に読み取られる（リードアフタライト）。
【００３９】
ステップＳ２０２：再生用磁気ヘッド３１ａ又は３１ｂにより読み取られたデータに基づき、テープ上にデータの欠落があったかどうかを判断する。具体的には、再生用磁気ヘッド３１ａ又は３１ｂによりデータが正常に読み取られなかった場合、制御部３５はテープ上にデータ欠落領域があると判断する。
【００４０】
ステップＳ２０３：テープ上にデータ欠落領域があると判断された場合、欠陥があったと判断された領域に記録されるべきであったデータを特定し、メモリ３６に再記録用データとして一時格納する。
【００４１】
ステップＳ２０４：磁気テープ２１０を巻き戻す。
【００４２】
ステップＳ２０５：再記録領域２１４として、別のトラックである再記録用トラック２１５上にあるデータ欠落領域２１３に対応する位置に、ヘッド部３０のもう一つの記録用磁気ヘッド３２が位置しているかどうかを判断する。なお、この記録用磁気ヘッド３２の移動は、図５の例によれば、次のように行う。磁気テープ２１０を正方向に巻き出す間にデータ欠落領域２１３が特定されたとき、データ欠落領域２１３に相当する分だけ磁気テープ２１０を巻き戻す。なお、磁気テープ２１０を逆方向に巻き出す間にデータ欠落領域が特定されたときも、データ欠落領域に相当する分だけ磁気テープ２１０を巻き戻す。
【００４３】
なお、ステップＳ２０４〜Ｓ２０５において、磁気テープ２１０を巻き戻し、記録用磁気ヘッド３２をデータ欠落領域２１３に対応する位置に移動させている。この動作は、再記録のために行われてもよいが、ヘッド部３０による通常の記録動作を兼ねて行われてもよい。つまり、ヘッド部３０が、再記録領域２１４の周辺領域（再記録領域２１４の近傍で再記録と同方向の他のトラックの領域）に対して通常の記録を行う際にリライト処理も行う。
【００４４】
ステップＳ２０６：再記録用データを記録する。図５の例によれば、磁気テープ２１０を正方向又は逆方向に巻き出し、再記録領域２１４に位置する記録用磁気ヘッド３２によってメモリ３６より再記録用データを読み出して記録する。
２．２  実施の形態２の特徴
実施の形態２によれば、再記録用データは、別のトラックにおけるデータ欠落領域２１３とテープ長手方向においてほぼ同じ位置にある領域に記録される。よって、データを再生する時、データが正しく記録されなかった場合にリトライ処理されたデータと、正しく記録されたデータとを、略連続して読み取ることが可能となる。更に、実施の形態１に比してより多くのリトライ処理されたデータをデータ欠落領域２１３に対応する位置に再記録することが可能となる。この結果、より多くのリトライ処理されたデータについて読み取るまで長時間待つことなく、データを再生する順序に従って再配列できる。よって、応答性良くデータの再生が可能となる。
【００４５】
更に、実施の形態２によれば、一つの記録用磁気ヘッドをリトライ処理専用に用いるため、ヘッド部２３０はリトライ処理のためにトラック間を移動する必要がないため、リトライ処理をより迅速に行うことができる。
２．３  実施の形態２の変形例
上記実施の形態２においては、一つの記録用磁気ヘッドを専らリトライ処理によるデータの再記録用に用いていたが、実施の形態１と同様にヘッド部３０を再記録用トラック２１５に移動させて、再記録を行ってもよい。また、この場合ヘッド部３０の４つの磁気ヘッドをステップ２０１動作における記録に用いることが可能となる。
【００４６】
上記実施の形態２においては、リトライ処理専用の磁気ヘッドを一つとしているが、磁気ヘッドの数が多い場合２以上であってもよい。
３  その他実施の形態
上述した実施の形態１及び２においては、データ記録装置１００のヘッド部３０の磁気ヘッドは４つ設け、４チャンネル並置配列される多重トラックを有する磁気テープを例に挙げて説明したが、本発明はこれに限定されない。データ記録装置１００の磁気ヘッドの数、磁気テープ１０のチャンネル数、トラック数は上記例よりも多くても少なくてもよい。
【００４７】
また、上記実施の形態１及び２においては、ヘッド部３０はテープ長手方向に並列された再生用磁気ヘッド３１ａ−記録用磁気ヘッド３２−再生用磁気ヘッド３１ｂを有するが、本発明はこれに限定されない。例えば、記録用磁気ヘッド−再生用磁気ヘッド−記録用磁気ヘッドを並列したものであってもよい。更に、再生用磁気ヘッド−記録用磁気ヘッドの組を２組テープ長手方向に並列させ、制御部により正方向テープ巻き出し時と逆方向テープ巻き出し時とでいずれかの組を切り替えるようにしてもよい。
【００４８】
上記実施の形態１及び２においては、磁気テープのデータ記録を例に挙げたが、本発明はこれに限定されない。その他磁気記録媒体、光記録媒体、相変化記録媒体と光ピックアップを用いた記録方式、その他の記録媒体に適用してもよい。
【００４９】
本発明は、データ記録装置や記録媒体としてだけでなく、データ記録方法としても実現できる。
【産業上の利用可能性】
【００５０】
本発明は、例えばサーバー等のデータをバックアップするデータストリーマを含むデータ記録装置やデータ記録方法として有用である。また、かかるデータストリーマに用いられる記録媒体として有用である。
【符号の説明】
【００５１】
１０              磁気テープ（記録媒体の一例）
１２Ｆ            記録トラック
１２Ｒ            記録トラック
１３              欠落領域
１４              再記録領域
３０              ヘッド部
３１ａ，３１ｂ    再生用磁気ヘッド
３２              記録用磁気ヘッド（データ記録部の一例）
３５              制御部（制御部の一例）
３６              メモリ（メモリの一例）
３７              駆動部（駆動部の一例）
１００            データ記録装置
１０１            カセット
１３１            第１巻きロール
１３２            第２巻きロール
１３３            ガイドロール
２１０            磁気テープ（記録媒体の一例）
２１２Ｆ          記録トラック（第１の記録トラックの一例）
２１２Ｒ          記録トラック（第２の記録トラックの一例）
２１３            欠落領域
２１４            再記録領域
２１５            再記録用トラック（予備トラックの一例）
【図１】
0005537593.tif 000002
【図２】
0005537593.tif 000003
【図３】
0005537593.tif 000004
【図４】
0005537593.tif 000005
【図５】
0005537593.tif 000006
【図６】
0005537593.tif 000007
【図７】
0005537593.tif 000008